(57)【要約】【課題】固定対象物を固定すると同時に優れた防水性能が発揮されるので、別途コーキング処理等の防水処理が不要となり、作業性が飛躍的に高められるとともに、外観も良好な防水性固定具を提供する。【解決手段】軸部２の一端に頭部３を有し、他端に挿入部４を有する固定具１において、前記頭部３の付近の前記軸部２に接着テープ５を巻着してなる巻着体５ａを備えたことを特徴とする防水性固定具である。本発明の防水性固定具１は、固定対象物に穿設された、巻着体５ａよりも小さ目の挿入孔に挿入して固定する際に、該挿入孔との摩擦により巻着体５ａの接着テープ５が上方に層間移動して該挿入孔の形状に変形追従して隙間を埋め防水性能を発揮する。【選択図】図１
2005113563.tif 000002
【特許請求の範囲】
【請求項１】
軸部の一端に頭部を有し、他端に挿入部を有する固定具において、前記頭部付近の前記軸部に接着テープを巻着してなる巻着体を備えたことを特徴とする防水性固定具。
【請求項２】
頭部と巻着体との間にパッキンを介設してなる請求項１記載の防水性固定具。
【請求項３】
頭部の周囲に防水縁を垂設してなる請求項１又は２記載の防水性固定具。
【請求項４】
接着テープの形状が一定の幅の部分と、端部に向かって縮幅のテーパー状部分とからなる請求項１〜３のいずれか１項に記載の防水性固定具。
【請求項５】
接着テープが柔軟で変形追従性を有する基材層と、高温接着力を有する接着剤層とからなる請求項１〜４のいずれか１項に記載の防水性固定具。
【請求項６】
基材層がポリエチレンをラミネートしたフラットヤーンクロスからなり、接着剤層がアクリル系接着型粘着剤からなる請求項５記載の防水性固定具。
【請求項７】
固定具が釘又はビスである請求項１〜６のいずれか１項に記載の防水性固定具。
【請求項８】
瓦固定用である請求項１〜７のいずれか１項に記載の防水性固定具。
【発明の詳細な説明】
【技術分野】
【０００１】
本発明は屋根材等に用いられる防水性固定具に関し、更に詳しくは、釘、ビス等の固定具を用いて固定すると同時に釘やビスの挿入孔の隙間を埋めて防水性能を発揮するとともに、優れた防水性能と優れた外観を与える防水性固定具に関する。
【背景技術】
【０００２】
従来、屋根材の棟瓦、隅瓦、袖瓦、差し棟瓦等においては、一般に、外部から見える瓦の表面から釘やビス等を用いて躯体等に固定されている。これらは、通常、雨水の侵入を防ぐために防水処理が施されている。
【０００３】
防水処理の一つは、釘又はビス止めした後、コーキング処理を施す方法であるが、これには手間が掛かるという問題の他に、外観を悪くし、またシリコーンシーリング材を用いてコーキング処理を施す場合、シリコーンで瓦を汚すという問題がある。
防水処理の他の一つは、シリコンゴム等のパッキンを使用する方法であるが、例えば、屋根瓦を棟木に固定する場合、釘やビスが少し傾いた状態で固定されると隙間が生じ十分な防水性が得られない。
【発明の開示】
【発明が解決しようとする課題】
【０００４】
本発明はかかる実情に鑑み、上記従来技術の問題点を解消し、別途防水処理を施すことなく、釘やビス等の固定具を固定具挿入孔を介して固定すると同時に該挿入孔の隙間を埋めて防水性能を発揮するとともに、優れた防水性能と外観を与える防水性固定具を提供するものである。
【課題を解決するための手段】
【０００５】
上記目的を達成するための本発明の請求項１は、軸部の一端に頭部を有し、他端に挿入部を有する固定具において、前記頭部付近の前記軸部に接着テープを巻着してなる巻着体を備えたことを特徴とする防水性固定具を内容とする。
【０００６】
本発明の第２は、頭部と巻着体との間にパッキンを介設してなる請求項１記載の防水性固定具を内容とする。
【０００７】
本発明の第３は、頭部の周囲に防水縁を垂設してなる請求項１又は２記載の防水性固定具を内容とする。
【０００８】
本発明の第４は、接着テープの形状が一定の幅の部分と、端部に向かって縮幅のテーパー状部分とからなる請求項１〜３のいずれか１項に記載の防水性固定具を内容とする。
【０００９】
本発明の第５は、接着テープが柔軟で変形追従性を有する基材層と、高温接着力を有する接着剤層とからなる請求項１〜４のいずれか１項に記載の防水性固定具を内容とする。
【００１０】
本発明の第６は、基材層がポリエチレンをラミネートしたフラットヤーンクロスからなり、接着剤層がアクリル系接着型粘着剤からなる請求項５記載の防水性固定具を内容とする。
【００１１】
本発明の第７は、固定具が釘又はビスである請求項１〜６のいずれか１項に記載の防水性固定具を内容とする。
【００１２】
本発明の第８は、瓦固定用である請求項１〜７のいずれか１項に記載の防水性固定具を内容とする。
【発明の効果】
【００１３】
本発明の防水性固定具は、頭部付近の軸部に接着テープを巻回してなる巻着体を備えているので、固定具を固定具挿入孔に挿入して固定すると同時にこの巻着体が固定具挿入孔との摩擦により接着テープが上方に層間移動して該挿入孔の形状に変形追従して該挿入孔の隙間を埋めて防水層として機能するので、別途コーキング処理等の防水処理を施す必要がない。従って、作業効率は大幅に向上する。
また、接着テープの巻着体は、上記したように変形追従性に富むので、固定具を少々斜めに傾いた状態で固定しても十分な防水性能が得られる。更に、巻着体は固定具の頭部の下に隠れるので外観においても優れている。
【００１４】
また、本発明の防水性固定具は、接着テープの巻着体を防水層とするため、固定具挿入孔のサイズに応じて適宜接着テープの巻着具合を調整することにより、十分な防水性を確保することができる。
【００１５】
頭部と巻着体との間にパッキンを介設することにより、巻着体とパッキンとで二重の防水が図られ、一層優れた防水性能が得られる。
【００１６】
また、頭部の周囲に防水縁を垂設することにより、防水縁が雨水の侵入を防止するので更に確実な防水性能が得られる。
【００１７】
また、接着テープの形状を一定の幅の部分と、頭部に向かって縮幅のテーパー状部分とすることにより、軸部に巻着して得られた巻着体は中央部に膨出部を有するタル状となり、この膨出部は変形追従性に富み、容易に固定具挿入孔の隙間を埋めるので防水性能を発揮し易くなる。
【００１８】
また、接着テープを柔軟で変形追従性を有する基材層と、高温接着力を有する接着剤層とから構成することにより、気密性を発現し易く、また屋外の高温に曝されても良好な防水性を維持することができる。
【００１９】
上記のような接着テープとして、基材層がポリエチレンをラミネートしたフラットヤーンクロスからなり、接着剤層がアクリル系接着剤からなるものが好ましい。
【発明を実施するための最良の形態】
【００２０】
本発明は、軸部の一端に頭部を有し、他端に挿入部を有する固定具において、前記頭部付近の前記軸部に接着テープを巻着してなる巻着体を備えたことを特徴とする。
【００２１】
本発明において、固定具は、軸部の一端に頭部を有し、他端に挿入部を有するもので、例えば、釘、ビス、ネジ等が挙げられる。挿入部付近及び／又は頭部付近に雄ネジを刻設したもの、挿入部付近を拡径としたもの等も勿論含まれる。
頭部の形状は、特に制限されず、例えば平板状のもの、軸に向かって縮径のテーパー状とした皿状のものが挙げられる。
固定具のサイズは特に制限されないが、例えば、釘は長さ約６５〜１２５ｍｍ、軸部の直径約３．０〜３．５ｍｍ、頭部の直径約９〜１０ｍｍ、また、ビスは長さ約６５〜１２５ｍｍ、軸部の直径約３．０〜４．０ｍｍ、ネジ径約４．０〜５．０ｍｍ、頭部の直径約１０〜１２ｍｍのものが一般的である。
また固定具の材質はＳＵＳＸＭ７、ＳＵＳ３０５等のステンレス製のものが好ましい。また、固定具の色は、ブロンズが目立たず、瓦の各色にも調和し、パッキン（一般に黒色）とも調和するので好ましい。
【００２２】
また、頭部の周囲に防水縁を垂設することにより、固定具を固定した際に、先ず該防水縁が雨水の侵入を防ぎ、該防水縁で侵入阻止できなかった雨水を接着テープの巻着体が防止するという２段の防水機能が発揮されるので、防水性は一層確実なものとなる。防水縁は、頭部の周囲に斜下方向又は下方向に延設される。
【００２３】
本発明に使用される接着テープとしては、布、紙、フィルム等の基材層上に接着剤層又は粘着剤層を設けた接着又は粘着テープ（本発明では、両者を含めて接着テープと記す）が挙げられるが、柔軟で変形追従性を有する基材層と、高温接着力を有する接着剤層とからなるものが好ましい。接着テープが柔軟で変形追従性を有することにより、接着テープの巻着体は固定具挿入孔の隙間に応じて変形追従して気密的に該隙間を埋めることができ、また高温接着力を有することにより、高温に曝される屋根材や外装材を固定した場合にも長期に亘って防水性を維持することができる。
【００２４】
このような接着テープとしては、例えば、ポリエチレンをラミネートしたフラットヤーンクロスから基材層上に、アクリル系接着型粘着剤からなるものを挙げることができる。
【００２５】
接着テープは、固定具の長さや太さ等のサイズにより一概に規定できないが、一般に、長さ３０〜２００ｍｍ、幅５〜２０ｍｍ、厚さ０．０１〜０．５ｍｍ程度が好ましい。これらの範囲外では、軸部への巻着がし難くなる傾向がある。
また、接着テープの形状は、（ａ）一定の幅のリボン状のもの、（ｂ）長さ方向の片側が他の側に向かって縮幅の片テーパー状としたもの、（ｃ）長さ方向の両端が他端に向かって縮幅の両テーパー状としたもの、（ｄ）一定の幅のリボン状の部分と、長さ方向の両側が端部に向かって縮幅の両テーパー状の部分としたもの等が挙げられるが、（ｃ）と（ｄ）が好ましく、特に（ｄ）が好ましい。即ち、（ｃ）と（ｄ）の場合は、軸部に巻着してなる巻着体は、中央部が膨出したタル状となり、このタル状の膨出部が、固定具挿入孔の隙間が大きくても又は小さくても適応でき、且つ変形追従性により効果的に対応して埋めることができ、目的とする優れた防水性を発揮することができる。
【００２６】
巻着体は、頭部付近の軸部に設けられる。好ましくは、頭部の直下、より好ましくは頭部より１〜３ｍｍ程度下部に設けられる。巻着体は、固定具挿入孔よりも少し大き目になるように、軸部に接着テープを巻着することにより得られる。このように、巻着体は接着テープを何重にも巻き付け、且つ固定具挿入孔よりも大き目に形成されているので、固定具挿入孔の形状に沿って変形追従し、固定具挿入孔の隙間を埋め、防水性を発揮するのである。巻着体を頭部より１〜３ｍｍ程度下部に設けると、頭部と巻着体との１〜３ｍｍの空間部で接着テープが層間移動し、固定具挿入孔の形状に変形追従して隙間を埋め易くなるので好ましい。
【００２７】
本発明の防水性固定具は、頭部と巻着体との間にパッキンを介設することにより、巻着体とパッキンとの二重の防水がなされ、更に防水性能を高めることができる。また、接着テープの端部が食み出したような場合は、この食み出しを隠し見栄えを良くする効果もある。
このようなパッキンとしては特に制限されないが、ＥＰＤＭゴム、シリコンゴム、ＣＲゴム、天然ゴム等が好ましく、サイズは防水性固定具のサイズにより一概には規定できないが、例えば外径８〜１０ｍｍ、内径３〜５ｍｍ、厚さ２〜５ｍｍ程度が好ましい。
【００２８】
上記の如き本発明の防水性固定具は、屋根材や外装材等の防水性が要求される固定対象物に広く利用され、防水性固定具を固定具挿入孔に挿入して固定すると同時に巻着体の接着テープが層間移動して固定具挿入孔の形状に変形追従して該挿入孔の隙間を埋め、その結果、優れた防止性能を発揮し、別途コーキング処理等の防水処理を必要としないので、作業性が大幅に高められる。パッキンを介設した場合は、巻着体とパッキンとの二重の防水がなされ、一層優れた防水性能が得られる。
【００２９】
以下、実施例を挙げて本発明を更に詳細に説明するが、本発明はかかる実施例のみに制限されないことは云うまでもない。
【実施例】
【００３０】
実施例１
図１は、本実施例の防水性固定具を示す概略図、図２は接着テープの展開図、図３は固定具挿入孔の隙間に接着テープの巻着体が層間移動及び変形追従して隙間を埋める状態を示す概念図である。
【００３１】
図１において、防水性固定具１は軸部２の一端に頭部３を有し、他端に尖端からなる挿入部４を有し、頭部３付近の軸部２に、接着テープ５を巻着してなる巻着体５ａを備えている。
本例においては、接着テープ５は、図２に示すように、リボン状の長さ方向の片側（図では下側）が一端から他端に向かって縮幅の片テーパー状からなる。かくして、接着テープの巻着体５ａは逆円錐台形状からなる。
【００３２】
上記防水性固定具１は、図３に示すように、固定対象物６に穿設された、巻着体５ａよりも小さ目の固定具挿入孔７に挿入して固定する際に、固定具挿入孔７との摩擦により巻着体５ａの接着テープ５が上方に層間移動して固定具挿入孔７の形状に変形追従して隙間を埋め防水性能を発揮する。
【００３３】
実施例２
図４は、本実施例の防水性固定具を示す概略図、図５は接着テープの展開図、図６は固定具挿入孔の隙間に接着テープの巻着体が層間移動及び変形追従して隙間を埋める状態を示す概念図である。
【００３４】
図４において、防水性固定具１は軸部２の一端に頭部３を有し、他端に尖端からなる挿入部４を有し、頭部３付近の軸部２に、接着テープ５を巻着してなる巻着体５ａを備えている。
本例においては、接着テープ５は、図５に示すように、リボン状の長さ方向の両側から他端に向かって縮幅の両テーパー状からなる。かくして、接着テープの巻着体５ａはタル状からなる。
【００３５】
上記防水性固定具１は、図６に示すように、固定対象物６に穿設された、巻着体５ａよりも小さ目の固定具挿入孔７に挿入して固定する際に、固定具挿入孔７との摩擦により巻着体５ａの接着テープ５が上方に層間移動して固定具挿入孔７の形状に変形追従して隙間を埋め防水性能を発揮する。
【００３６】
実施例３
図７は、本実施例の防水性固定具を示す概略図、図８は接着テープの展開図、図９は固定具挿入孔の隙間に接着テープの巻着体が層間移動及び変形追従して隙間を埋める状態を示す概念図である。
【００３７】
図７において、防水性固定具１は軸部２の一端に頭部３を有し、他端に尖端からなる挿入部４を有し、頭部３付近の軸部２に、接着テープ５を巻着してなる巻着体５ａを備えている。
本例においては、接着テープ５は、図８に示すように、一定の幅のリボン状の部分と、長さ方向の両側が他端に向かって縮幅の両テーパー状の部分とからなる。かくして、接着テープの巻着体５ａはタル状からなる。
【００３８】
上記防水性固定具１は、図９に示すように、固定対象物６に穿設された、巻着体５ａよりも小さ目の固定具挿入孔７に挿入して固定する際に、固定具挿入孔７との摩擦により巻着体５ａの接着テープ５が上方に層間移動して固定具挿入孔７の形状に変形追従して隙間を埋め防水性能を発揮する。
【００３９】
実施例４
図１０は、本実施例の防水性固定具を示す一部切り欠き断面図、図１１は固定具挿入孔の隙間に接着テープの巻着体が層間移動及び変形追従して隙間を埋める状態を示す概念図である。
【００４０】
本実施例の防水性固定具１は、頭部３の周囲に防水縁８を斜め下方に垂設した他は実施例１の防水性固定具と同じである。
上記防水性固定具１は、図１１に示すように、固定対象物６に穿設された、巻着体５ａよりも小さ目の固定具挿入孔７に挿入して固定する際に、固定具挿入孔７との摩擦により巻着体５ａの接着テープ５が上方に層間移動して固定具挿入孔７の形状に変形追従して隙間を埋め防水性能を発揮するとともに、防水縁８が雨水の侵入を防止する。この場合、防水縁８の周端部を尖端化しておくことにより、破線で示す如く、防水縁８の周端部が固定対象物６の表面に食い込み、雨水の侵入防止効果を更に高めることができる。
【００４１】
実施例５
図１２は、本実施例の防水性固定具を示す概略図、図１３は固定具挿入孔の隙間に接着テープの巻着体が層間移動及び変形追従して隙間を埋める状態を示す概念図である。
【００４２】
本実施例の防水性固定具１は頭部３と接着テープ５の巻着体５ａとの間にパッキン９を介設した他は実施例２の防水性固定具と同じである。
上記防水性固定具１は、図１３に示すように、固定対象物６に穿設された、巻着体５ａよりも小さ目の固定具挿入孔７に挿入して固定する際に、固定具挿入孔７との摩擦により巻着体５ａの接着テープ５が上方に層間移動して固定具挿入孔７の形状に変形追従して隙間を埋め防水性能を発揮するとともに、パッキン９も防水性能を発揮し、巻着体５ａとパッキン９と二重の防水性能が発揮される。
【００４３】
応用例１
図１４は、実施例３の防水性固定具１を用いて瓦１０を棟木１１に固定した状態を示す概略図である。
同図に示すように、瓦１０の天頂部に設けられた、固定具１の接着テープの巻着体５ａよりも小さ目の固定具挿入孔７に防水性固定具１を挿入して棟木１１に打ち込んだところ、巻着体５ａの接着テープ５が挿入孔７との摩擦により上方に層間移動し挿入孔７の形状に変形追従して隙間を埋め、防水屋根構造が得られた。
固定具１の上方からホースで水道水を吹き付けたが、漏水は全く認められなかった。また、地震を想定して、瓦１０に振動を加えてホースで水道水を吹き付けたが、結果は同じで漏水は全く認められなかった。
【００４４】
応用例２
実施例５の防水性固定具１を用いた他は応用例１と同様に防水屋根構造を得、応用例１と同様にして防水性をテストした。結果は応用例１と同様で、漏水は全く認められなかった。
【産業上の利用可能性】
【００４５】
叙上のとおり、本発明の防水性固定具は、簡単な構造により、固定対象物を固定すると同時に優れた防水性能が発揮されるので、別途コーキング処理等の防水処理が不要となり、作業性が飛躍的に高められるとともに、外観も良好である。
【図面の簡単な説明】
【００４６】
【図１】本発明の実施例１を示す概略図である。
【図２】同接着テープの展開図である。
【図３】同接着テープの巻着体が層間移動及び変形追従して隙間を埋める状態を示す概略図である。
【図４】本発明の実施例２を示す概略図である。
【図５】同接着テープの展開図である。
【図６】同接着テープの巻着体が層間移動及び変形追従して隙間を埋める状態を示す概略図である。
【図７】本発明の実施例３を示す概略図である。
【図８】同接着テープの展開図である。
【図９】同接着テープの巻着体が層間移動及び変形追従して隙間を埋める状態を示す概略図である。
【図１０】本発明の実施例４を示す概略図である。
【図１１】同接着テープの巻着体が層間移動及び変形追従して隙間を埋める状態を示す概略図である。
【図１２】本発明の実施例５を示す概略図である。
【図１３】同接着テープの巻着体が層間移動及び変形追従して隙間を埋める状態を示す概略図である。
【図１４】本発明の応用例を示す概略図である。
【図１５】本発明の他の応用例を示す概略図である。
【符号の説明】
【００４７】
１  防水性固定具
２  軸部
３  頭部
４  挿入部
５  接着テープ
５ａ  接着テープの巻着体
６  固定対象物
７  固定具挿入孔
８  防水縁
９  パッキン
１０  瓦
１１  棟木
【図１】
2005113563.tif 000003
【図２】
2005113563.tif 000004
【図３】
2005113563.tif 000005
【図４】
2005113563.tif 000006
【図５】
2005113563.tif 000007
【図６】
2005113563.tif 000008
【図７】
2005113563.tif 000009
【図８】
2005113563.tif 000010
【図９】
2005113563.tif 000011
【図１０】
2005113563.tif 000012
【図１１】
2005113563.tif 000013
【図１２】
2005113563.tif 000014
【図１３】
2005113563.tif 000015
【図１４】
2005113563.tif 000016
【図１５】
2005113563.tif 000017